(57)【特許請求の範囲】
【請求項１】
表板と、導電部材と、支持板とを積層して形成された、操作部を有するフェースプレート、
及び、該フェースプレートの前記支持板側に配置されて、前記操作部と電気的に接続された電子部品を備え、
前記フェースプレートの前記導電部材がアースされ、
前記電子部品が収納される金属製のボックスをさらに備え、
前記導電部材はシート状で、前記表板と前記支持板との間に配置されており、前記シート状の前記導電部材の縁部が前記支持板の前記表板側から前記ボックス側に折り返され、前記支持板と前記ボックスとによって挟まれて、前記ボックスに接触しており、
前記導電部材は前記ボックスを介してアースされる、操作盤。
【請求項２】
表板と、導電部材と、支持板とを積層して形成された、操作部を有するフェースプレート、
及び、該フェースプレートの前記支持板側に配置されて、前記操作部と電気的に接続された電子部品を備え、
前記フェースプレートの前記導電部材がアースされ、
前記電子部品が収納される金属製のボックスをさらに備え、
前記導電部材は、前記ボックスに接しており、前記ボックスを介してアースされる、操作盤。
【請求項３】
表板と、導電部材と、支持板とを積層して形成された、操作部を有するフェースプレート、
及び、該フェースプレートの前記支持板側に配置されて、前記操作部と電気的に接続された電子部品を備え、
前記フェースプレートの前記導電部材がアースされ、
さらに、前記フェースプレートの周囲を囲む金属製のフレームを備え、
前記導電部材は、前記フレームを介してアースされる、操作盤。
【請求項４】
前記導電部材は、前記支持板の表面に、印刷または塗装によって形成されている、請求項１から請求項３のいずれか１項に記載の操作盤。
【請求項５】
前記表板は、ガラス製である、請求項１から請求項４のいずれか１項に記載の操作盤。
【請求項６】
さらに、前記表板と前記導電部材との間に、立体印刷を有する、
請求項１から請求項５のいずれか１項に記載の操作盤。
【発明の詳細な説明】
【技術分野】
【０００１】
本発明は、例えばエレベータなどの機器を操作する操作盤及び操作盤に用いられるフェースプレートに関する。
【背景技術】
【０００２】
近年、操作盤に意匠性をもたせるために、操作盤のフェースプレートにガラスを用いたものがある。ガラスは、剛性が低いため、剛性を確保するには厚くする必要がある。しかし、フェースプレートを厚くすると、操作盤の意匠性が低下する。このため、薄い強化ガラスの背面に鋼板を接合することによって、剛性と意匠性を確保している。【０００３】
操作盤のフェースプレートが薄いと、操作者に帯電した静電気が、操作ボタンとフェースプレートとの隙間、またはフェースプレート自体を通過し易くなり、操作盤の内部に飛ぶおそれが高まる。操作盤の内部に静電気が飛ぶと、操作盤の内部に設置されている電子部品が破損するおそれがある。【０００４】
従来、操作盤の静電気対策として、例えば特許文献１に示すものが知られている。特許文献１の電子機器は、電子機器を操作する操作者に帯電した静電気が電気回路に流れ込まないように、以下のような対策を施している。すなわち、特許文献１は、電子機器の内部に設けられたシート状スイッチの表面にカーボンインクを印刷することで導電層を形成し、この導電層をアースに接続している。そして、フェースプレートに相当する前ケースを通過して機器本体内に入り込んだ静電気を、この導電層を介してアースに流している。
【先行技術文献】
【特許文献】
【０００５】
【特許文献１】特開２００５−１５８５７９号公報
【発明の概要】
【発明が解決しようとする課題】
【０００６】
しかしながら、特許文献１の電子機器は、図３及び図９に示すように、ＬＥＤ、接点などが実装されたシート状スイッチ本体の表面に導電層が形成されている。よって、フェースプレートに相当する前ケースを通過した静電気が、シート状スイッチ本体の表面に実装されたＬＥＤ、接点などに飛び、ＬＥＤ、接点などが破壊されるおそれがある。【０００７】
本発明は、上記のような課題を解決するためになされたものであり、フェースプレートを通過した静電気によって操作盤の内部に配置された電子部品が破壊されることのない操作盤を得るものである。
【課題を解決するための手段】
【０００８】
本発明に係る操作盤は、表板と、導電部材と、支持板とを積層して形成された、操作部を有するフェースプレート、及び、該フェースプレートの支持板側に配置されて、操作部と電気的に接続された電子部品を備え、フェースプレートの導電部材がアースされる。
【発明の効果】
【０００９】
本発明に係る操作盤は、操作者に帯電された静電気をフェースプレートに配置された導電部材を介してアースに流すことができる。これにより、操作者に帯電した静電気がフェースプレートを通過することが防止され、操作盤の内部に配置された電子部品が破壊されることを防止することができる。
【図面の簡単な説明】
【００１０】
【図１】本発明の実施の形態１における操作盤をエレベータ乗り場に設置した例を示す正面図である。
【図２】図１の操作盤の構成を示す分解斜視図である。
【図３】図１のＩＩＩ−ＩＩＩ線に沿う操作盤を示す断面図である。
【図４】図１のＩＶ−ＩＶ線に沿う操作盤を示す断面図である。
【図５】本発明の実施の形態１における操作盤の第１変形例を、図３と同じ断面で示す図である。
【図６】本発明の実施の形態１における操作盤の第２変形例を、図３と同じ断面で示す図である。
【発明を実施するための形態】
【００１１】
以下、本発明の操作盤５の好適な実施の形態につき、図面を用いて説明する。
【００１２】
実施の形態１．
図１は、本発明の実施の形態１における操作盤５をエレベータ乗り場１に配置した例を示す正面図である。図２は、図１の操作盤５の構成を示す分解斜視図である。図３は、図１のＩＩＩ−ＩＩＩ線に沿う操作盤５を示す断面図である。図４は、図１のＩＶ−ＩＶ線に沿う操作盤５を示す断面図である。
【００１３】
図１に示すように、エレベータ乗り場１には、乗り場ドア２が配置された乗降口３が設けられる。実施の形態１の操作盤５は、乗降口３の壁３ａに設置される。
【００１４】
なお、本発明の操作盤５は、エレベータ乗り場１に備えられるものに限るものではない。例えば、図示しないエレベータの乗りかごに備えられるものであってもよいし、エレベータ以外の機器に備えられるものであってもよい。
【００１５】
図２に示すように、操作盤５は、フェースプレート１０、操作部としての操作ボタン２０、ボックス３０及びアース線５０によって構成される。なお、フェースプレート１０の、操作ボタン２０の上方に設けられたスペースは、表示部、意匠などの配置に用いられるが、ここでは説明を省略する。
【００１６】
フェースプレート１０は、表板１１、支持板１３及び表板１１の裏面と支持板１３の表面との間に挟まれて配置されるシート状の導電部材１２を有する。表板１１、導電部材１２及び支持板１３は、互いに接着剤などによって少なくとも一部が接合されてフェースプレート１０を形成する。
【００１７】
表板１１は、例えば厚みが１ｍｍ程度の強化ガラスによって形成される。なお、表板１１の材質は、強化ガラスに限るものではない。例えば、石材、硬質樹脂などであってもよい。
【００１８】
導電部材１２は、銅などの高い導電性を有するシート状の部材によって形成される。導電部材１２はアースされる。表板１１を通過した静電気は、導電部材１２に引きつけられて、導電部材１２を介してアースに流れる。
【００１９】
支持板１３は、錆止め、意匠性のある塗装などの表面処理が施された鋼板、または硬質樹脂などの絶縁体によって形成される。
【００２０】
図３及び図４に示すように、操作ボタン２０は、フェースプレート１０の表板１１、導電部材１２及び支持板１３にそれぞれ設けられた貫通孔を貫通して、図示しないスイッチなどが配置された電子部品４０に電気的に接続される。電子部品４０は、図示しないねじ部材などによって、支持板１３に固定される。
【００２１】
なお、フェースプレート１０に設けられる操作部は、表板１１に貫通孔を形成して配置される操作ボタン２０に限るものではない。例えば、タッチパネルのように、表板１１に貫通孔を形成しないで配置される操作部であってもよい。表板１１が薄いガラス板などで形成されている場合には、表板１１に貫通孔が形成されていなくても、静電気は表板１１を通過する。
【００２２】
ボックス３０は、電子部品４０を覆うように支持板１３側に配置される。ボックス３０は金属製の板などを加工して形成される。ボックス３０にはアース線５０が接続される。アース線５０は、接地された図示しない建屋の鉄柱などに接続される。
【００２３】
ここで、表面処理が施された鋼板は、静電気を引き付ける効果が弱い。従って、支持板１３の裏面側に導電部材１２を配置すると、静電気を導電部材１２に引き付けることができない。このため、導電部材１２は表板１１と支持板１３の間に配置される。
【００２４】
なお、支持板１３の中央部に開口面積の大きい貫通孔が形成される場合、支持板１３の全面に複数の貫通孔が形成される場合など、支持板１３に形成される貫通孔を介して表板１１側に露出する導電部材１２の面積が大きい場合には、導電部材１２と支持板１３の配置が逆であってもよい。
【００２５】
図３及び図４に示すように、導電部材１２は、支持板１３の表板１１側からボックス３０側に折り返されて配置される。支持板１３のボックス３０側に折り返された導電部材１２は、支持板１３とボックス３０によって挟まれ、ボックス３０に接触する。これにより、導電部材１２は、ボックス３０及びボックス３０に接続されたアース線５０を介してアースされる。
【００２６】
なお、図３及び図４では、支持板１３の上下方向及び左右方向で導電部材１２を折り返しているが、導電部材１２を折り返す位置は、これに限るものではない。例えば、導電部材１２を折り返す位置は、支持板１３の上下方向のみ、または図２に示すように左右方向のみであってもよい。
【００２７】
このように構成される実施の形態１の操作盤５は、表板１１と、導電部材１２と、支持板１３とを積層して形成され、操作部を有するフェースプレート１０、及び、該フェースプレート１０の支持板１３側に配設されて、操作部と電気的に接続された電子部品４０を備える。そして、導電部材１２が、ボックス３０及びボックス３０に接続されたアース線５０を介してアースされる。
【００２８】
これにより、操作ボタン２０を操作する操作者に帯電した静電気は、フェースプレート１０を形成する導電部材１２からボックス３０を通ってアース線５０に流れる。よって、静電気がフェースプレート１０を通過してボックス３０の内部に配置された電子部品４０に流れることが防止できる。この結果、静電気によって電子部品４０が破壊されることを防止することができる。
【００２９】
なお、実施の形態１では、導電部材１２をシート状としたが、導電部材１２の構成は、これに限るものではない。例えば、導電部材１２は、支持板１３の表面に印刷されたものであってもよいし、支持板１３の表面に、メッキなどの塗装によって形成されたものであってもよい。
【００３０】
また、実施の形態１では、フェースプレート１０を、表板１１と、支持板１３と、導電部材１２とを積層することによって形成したが、フェースプレート１０の構成は、これに限るものではない。例えば、図５に示す第１変形例の操作盤５Ａのように、フェースプレート１０Ａのガラス製の表板１１の背面に立体印刷１４が接合されていてもよい。これにより、操作盤５Ａの意匠性が高められる。
【００３１】
さらに、実施の形態１では、ボックス３０にアース線５０を接続して、静電気を導電部材１２及びボックス３０を介してアース線５０に流していたが、静電気をアース線５０に流す構成は、これに限るものではない。例えば、鋼板で形成された支持板１３にアース線５０を接続し、静電気を導電部材１２及び支持板１３を介してアース線５０に流してもよい。この場合、鋼板の、導電部材１２と接触する部分の少なくとも一部、及びアース線５０が接続される部分の表面処理を取り除くとよい。
【００３２】
また、図５に示す第１変形例の操作盤５Ａのように、フェースプレート１０Ａの導電部材１２に直接アース線５０を接続してもよい。さらに、図６に示す第２変形例の操作盤５Ｂのように、フェースプレート１０Ｂの周囲を金属製のフレーム１５で覆い、フレーム１５にアース線５０を接続してもよい。この場合、操作者に帯電した静電気は、フレーム１５からアース線５０に、または導電部材１２からフレーム１５を介してアース線５０に流すことができる。
【符号の説明】
【００３３】
１  エレベータ乗り場、２  乗り場ドア、３  乗降口、３ａ  壁、５，５Ａ，５Ｂ  操作盤、１０，１０Ａ，１０Ｂ  フェースプレート、１１  表板、１２  導電部材、１３  支持板、１４  立体印刷、１５  フレーム、２０  操作ボタン、３０  ボックス、４０  電子部品、５０  アース線。
【図１】
0006976432.tif 000002
【図２】
0006976432.tif 000003
【図３】
0006976432.tif 000004
【図４】
0006976432.tif 000005
【図５】
0006976432.tif 000006
【図６】
0006976432.tif 000007